(57)【要約】【課題】  シャンプーボトル等の容器の収納部を広く採ることができると共に、カウンター手前に位置した入浴者にとって収納部に収納したシャンプーボトル等の容器の使い勝手も良好にでき、収納部内の良好な清掃作業も確保できる浴室の収納構造を提供する。【解決手段】  浴室壁２から前方に突出するカウンター３の下部に斜め前上方に開口せる収納部１を形成する収納部材５を配置する。収納部材５の少なくとも下部を取外し自在に配設する。【選択図】図１
2007143780.tif 000002
【特許請求の範囲】
【請求項１】
浴室壁から前方に突出するカウンターの下部に斜め前上方に開口せる収納部を形成する収納部材を配置し、この収納部材の少なくとも下部を取外し自在に配設したことを特徴とする浴室の収納構造。
【請求項２】
収納部材を、収納部の天井面及びカウンターの下面を形成する前方程上方に傾斜する板状の上部部材と、収納部に収納した容器の側面を載置すると共に上記天井面と略平行な前方程上方に傾斜する載置片を有した下部部材とで構成したことを特徴とする請求項１に記載の浴室の収納構造。
【請求項３】
カウンターの下部の浴室壁に添わせて取付部材を固定し、収納部材の下部部材の載置片の後部に上部に引掛部を有する立上片を立設し、この立上片の引掛部を取付部材に設けた保持部に挟持構造で保持させると共に、保持部で保持された引掛部を中心に下部部材を下方に回動させたときに保持部内に設けた被引掛部に引掛部が後方から引っ掛け係止されるようにして、収納部材の下部部材を取付部材に着脱自在に取付けたことを特徴とする請求項２に記載の浴室の収納構造。
【請求項４】
収納部材の後部に、取付部材の浴室壁への固着用のビスを前方から覆う被覆部を設けたことを特徴とする請求項１記載の浴室の収納構造。
【発明の詳細な説明】
【技術分野】
【０００１】
本発明は、浴室の収納構造に関するものである。
【背景技術】
【０００２】
一般に、浴室には洗い場に面した浴室壁からカウンターが突設されている。このカウンターの正面にはカランが設けられ、給水管や給湯管がカウンターの内部に収納されてカウンターの正面のカランに接続させている。洗い場で入浴者が髪の毛や身体を洗う際にシャンプー等をすぐに手に取って使用することを期して、カウンターの上面にはしばしばシャンプー等のボトルが置かれたりする。しかしながら、シャンプー、リンス、ボディーソープなど洗い場で入浴者が使用する剤の種類は多く、また入浴者が個別に使用する剤もあり、多数のボトルがカウンターの上面に置かれると、浴室の外観が煩雑になってすっきりとした見栄えのよい外観を得ることはできない。
【０００３】
そこで従来では、カウンターの上面に開口せる収納凹所をカウンターの内部に形成し、この収納凹所にシャンプーボトル等の容器を収納することが提案されている（たとえば特許文献１参照）。しかしながら、カウンターの内部には上述のように給水管や給湯管が収納されることから、カウンターの内部に広い収納凹所を形成させて収納スペースを広く採ることはできないものであると共に、カウンター手前の洗い場で洗髪や身体を洗う入浴者は収納凹所内に収納したボトル等を使用するのにカウンターの上面にまで手を伸ばして使用することとなるから使い勝手が悪いものであった。また、特許文献１のものは、カウンターの上面板と一体に収納凹所を形成したものであり、収納凹所内に付着した水垢などを清掃するのには困難なものであった。
【特許文献１】特開平１１−５６６６４号公報
【発明の開示】
【発明が解決しようとする課題】
【０００４】
本発明は上記の従来の問題点に鑑みて為したものであって、シャンプーボトル等の容器の収納部を広く採ることができると共に、カウンター手前に位置した入浴者にとって収納部に収納したシャンプーボトル等の容器の使い勝手も良好にでき、更に、収納部内の良好な清掃作業も確保できる浴室の収納構造を提供することを課題とするものである。
【課題を解決するための手段】
【０００５】
上記課題を解決するために本発明の請求項１に係る浴室の収納構造は、浴室壁２から前方に突出するカウンター３の下部に斜め前上方に開口せる収納部１を形成する収納部材５を配置し、この収納部材５の少なくとも下部を取外し自在に配設したことを特徴とする。これによると、給水管等が収納配置されるカウンター３の内部３ｄではなく、デッドスペースとなりがちなカウンター下の空間を利用して収納部１を設けることができたことから、収納部１を広く採ることができたものであり、また、収納部１はカウンター３手前で洗髪や身体を洗う入浴者に向くように斜め前上方に開口して形成されたことから、入浴者はこの収納部１に収納したシャンプーボトル等の容器Ｂを従来のようにカウンター３の上面３ａにまで手を伸ばすことなく良好な使い勝手のもと使用することができたものであり、また、収納部１は斜め前上方に開口して浴水が入り易い形状となっているが、収納部１を形成する収納部材５の少なくとも下部を着脱自在にしたことから、浴水を受けて水垢等が付着し易い収納部材５の下部を外して収納部１内に付着した水垢を除去できるなど、清掃作業も良好にできたものである。
【０００６】
また、請求項２に係る浴室の収納構造は、請求項１において、収納部材５を、収納部１の天井面１ｂ及びカウンター３の下面３ｃを形成する前方程上方に傾斜する板状の上部部材６と、収納部１に収納した容器Ｂの側面Ｂ１を載置すると共に上記天井面１ｂと略平行な前方程上方に傾斜する載置片８を有した下部部材７とで構成したことを特徴とする。これによると、収納部材５の少なくとも下部（すなわち、シャンプーボトル等の容器Ｂの側面Ｂ１が載置されて水垢が付着し易い載置片８を有する下部部材７）を取り外して清掃できるので、作業性良好な清掃作業によって収納部１を効率よく清潔にすることができたものであり、また、収納部材５の上部部材６によって収納部１の天井面１ｂ及びカウンター３の下面３ｃを構成したから、この上部部材６でカウンター３の内部３ｄを目隠しすることができて浴室内の外観を向上できるのであり、また、収納部材５の下部部材７の載置片８を前方程上方に傾斜させたことで、収納部１の下面１ｅから洗い場床面４までにできる収納部下空間２８はその上下長さを前側程大きくすることができ、収納部１に収納したシャンプーボトル等の容器Ｂに手を伸ばし易いカウンター３のすぐ手前に位置した入浴者はその足先を上記収容部下空間２８に容易に挿入することができるのであり、つまり、入浴者は圧迫感無くカウンター３のすぐ手前に位置して洗髪等の作業を行うことができるから、使い勝手を良好にできたものである。
【０００７】
また、請求項３に係る浴室の収納構造は、請求項２において、カウンター３の下部の浴室壁２に添わせて取付部材１０を固定し、収納部材５の下部部材７の載置片８の後部に上部に引掛部１１を有する立上片９を立設し、この立上片９の引掛部１１を取付部材１０に設けた保持部１２に挟持構造で保持させると共に、保持部１２で保持された引掛部１１を中心に下部部材７を下方に回動させたときに保持部１２内に設けた被引掛部１３に引掛部１１が後方から引っ掛け係止されるようにして、収納部材５の下部部材７を取付部材１０に着脱自在に取付けたことを特徴とする。これによると、収納部材５の下部部材７を浴室壁２に固定した取付部材１０から取り外すには、収納部材５の下部部材７を上方に回動させて引掛部１１の被引掛部１３への引っ掛け係止状態を解除し、下部部材７を前方に移動させて取付部材１０の保持部１２による引掛部１１の保持状態を解除するといった、下部部材７への力の入れる方向の異なる２段階の作業を行う必要があり、つまり、下部部材７に入浴者の手足がぶつかるなどしても下部部材７が取付部材１０から不意に外れてしまうといった事態が回避されているのである。また、収納部１にシャンプーボトル等の容器Ｂを収納した状態では、下部部材７は容器Ｂに邪魔されて上方に回動できなくて下部部材７の取付部材１０からの不意の外れを防止できるのは勿論のこと、載置片８に載置された容器Ｂの重量によって下部部材７には下方に回動する力がかかるから引掛部１１を被引掛部１３に強く引っ掛け係止できて下部部材７の取付部材１０への取付強度も向上できる。
【０００８】
また、請求項４に係る浴室の収納構造は、請求項１において、収納部材５の後部に、取付部材１０の浴室壁２への固着用のビス２７を前方から覆う被覆部を設けたことを特徴とする。これによると、収納部材５に設けた被覆部によって、取付部材１０の浴面壁への固着を行うビス２７を被覆することができて、浴室内の外観を向上できたものである。
【発明の効果】
【０００９】
本発明は、シャンプーボトル等の容器の収納部を広く採ることができる利点、カウンター手前に位置した入浴者にとって収納部に収納したシャンプーボトル等の容器の使い勝手を良好にできる利点、収納部内の良好な清掃作業も確保できる利点を有する。
【発明を実施するための最良の形態】
【００１０】
以下、本発明を添付図面に示す実施形態に基いて説明する。
【００１１】
図１乃至図４には本発明の実施の形態の例を示す。洗い場Ａに面する浴室壁２（２ａ）にはカウンター３が前方（洗い場Ａ側）に向けて突設されている。本例では、カウンター３は、浴槽３０と浴槽３０に洗い場Ａを介して対向する浴室壁２（２ｂ）との間に亙るように設けられており、入浴者が跨ぐことが可能な浴槽３０の上面３０ａよりも多少低い位置にその上面３ａが位置するように形成されている。詳しくは、カウンター３は、カウンター３の上面３ａを構成する上面板部１４ａとカウンター３の前面３ｂを構成する前面板部１４ｂとからなる断面Ｌ字状の長尺のカウンター部材１４を、浴室壁２に固定した金属製の固定具１５に取付けることで形成されている。固定具１５は、浴室壁２に沿わせて固定させる略垂直に延びる壁取付部１５ａと、壁取付部１５ａの上端から前方に略水平に突出するカウンター部材取付部１５ｂと、壁取付部１５ａとカウンター部材取付部１５ｂとに掛け渡す剛性補強部１５ｃとで形成されている。カウンター部材取付部１５ｂにはカウンター部材１４の上面板部１４ａが載置されて取付けられている。カウンター３の前面３ｂには、洗い場Ａで使用する浴水を吐出するカラン１６が前方に突出するように配設されている。カウンター３の内部３ｄには、カラン１６に接続する給湯管や給水管等の配管３１が収納、配設されている。詳しくは、上記配管３１は建物側からカウンター３の内部３ｄに引き込まれてその先端がカウンター部材１４の前面板部１４ｂを貫いてカラン１６に接続されている。ここで、固定具１５の壁取付部１５ａの上下寸法は、固定具１５の剛性強度を高めてカウンター３の耐荷重性を向上させるために長く形成されている。またカウンター３の前面３ｂ板部１２の上下寸法は、固定具１５のカウンター部材取付部１５ｂにカウンター部材１４の上面板部１４ａを下方からビスの打入で固着させる際に、ビスの打入位置等を前方から覗き込んで確認するなどの作業を容易に行い得るようにするために、短く形成されている。つまり、カウンター部材１４の前面板部１４ｂの下端は固定具１５の壁取付部１５ａの下端よりも上方位置に位置している。なお、カウンター部材１４の前面板部１４ｂの下端の内部にはＬ字状のフック用被係止部１７が形成されており、固定具１５の壁取付部１５ａの下端には前方に突出する挿入突起１８が形成されている。
【００１２】
上記構成のカウンター３の下部には、シャンプーボトル等の容器Ｂを前斜め上方に向けて収納可能にする、斜め前上方に開口せる空間状の収納部１が設けられている。本例では、図２のように収納部１はカウンター３の長手方向に亙って設けられている。具体的に、収納部１はカウンター３の下部に配設した収納部材５によって形成されている。収納部材５は、上部を構成する上部部材６と、下部を構成する下部部材７とで構成されている。
【００１３】
上部部材６は前方程上方に傾斜する板状部材であり、上部部材６の前部には逆Ｌ字状のフック部１９が形成され、上部部材６の後部には挿入用凹所２０が形成されている。この上部部材６は、カウンター３の後側下端の挿入突起１８を挿入用凹所２０に挿入すると共にカウンター３の前側下端のフック用被係止部１７にフック部１９を係止することで（矢印ｂ）、カウンター３の下部に取付けられるのであって、収納部１の天井面１ｂを構成すると共にカウンター３の下面３ｂを構成し、カウンター３の内部３ｄを目隠しする目隠し板としても機能する。
【００１４】
下部部材７は、図３のように、前方程上方に傾斜する傾斜部８ａと傾斜部８ａの後端から後方に略水平に延出された水平部８ｂとでなる板状の載置片８を有し、上部に引掛部１１が形成された板状の立上片９を載置片８の後端から上方に立設して構成されている。詳しくは、載置片８の傾斜部８ａにおける傾斜勾配は上部部材６の傾斜勾配と略同じ勾配に形成されている。立上片９の引掛部１１は立上片９から後方に突出した一対の引掛片２１，２２で構成されている。本例の引掛部１１は一対の引掛片２１，２２がそれぞれ立上片９の上端から後斜め上方に突出して形成されている。また本例の立上片９の下部には後方に突出した廻り止め用突部２３が屈曲形成されている。この下部部材７は、カウンター３の下方の浴室壁２に固着された取付部材１０に対して着脱自在に取付けられる。
【００１５】
取付部材１０は、図３のように、浴室壁２に沿わせてビス２７で固定される縦片２４を有し、この縦片２４から一対の保持片２５，２６を前方に略水平に突設して保持部１２を形成し、上側の保持片２５の先端から垂下片状の被引掛部１３を下方に突設して構成されている。本例の取付部材１０は、縦片２４の上部に保持部１２を設けており、保持部１２の直下位置である縦片２４の中央部分を固着用のビス２７の打入によって浴室壁２に固着させている。
【００１６】
下部部材７を取付部材１０に取付けるには、矢印ａや図４のように、まず、下部部材７を取付部材１０に対して前方から近接させて下部部材７の引掛部１１を取付部材１０の保持部１２に挿入する。このとき引掛部１１は保持部１２に挟持構造で保持される。具体的に本例では、下側の引掛片２２が一対の保持片２５，２６で挟み込まれると共に上側の保持片２５が一対の引掛片２１，２２で挟み込まれるといった挟持構造で、引掛部１１が保持部１２に保持されるようになっている。次に、保持部１２に保持された引掛部１１を中心にして下部部材７を下方に回動していき、下部部材７の引掛部１１を取付部材１０の被引掛部１３に後方から引っ掛け係止させる。具体的に本例では、保持部１２に保持された引掛部１１を中心にして下部部材７を下方に回動することで、反時計回りに上方に向けて回動する下側の引掛片２２の突出先端が被引掛部１３の後方に廻り込むと共に被引掛部１３に後方から引っ掛け係止されるようになっている。下部部材７の下方回動は、下側の保持片２６が立上片９の後面に当接すると共に下部部材７の廻り止め用突部２３が浴室壁２に当接するといった廻り止めが為されるまで行われるのであり、この廻り止めが為された位置が図１や図４（ｅ）のように下部部材７の取付部材１０への取付状態となっている。
【００１７】
なお、上記の下部部材７の取付部材１０への取付手順を逆に行うことで、下部部材７は取付部材１０から取外し可能にされている。すなわち下部部材７の取付部材１０からの取外し手順は、まず、引掛部１１を中心にして下部部材７を上方に回動することで（矢印ｃ）、下部部材７の引掛部１１と取付部材１０の被引掛部１３との係止を解除する。この状態では下部部材７の引掛部１１は取付部材１０の保持部１２に保持された状態となっている。次に、下部部材７の引掛部１１を取付部材１０の保持部１２から引き抜くように、下部部材７を取付部材１０から離すように前方に移動させるという手順である。
【００１８】
下部部材７を取付部材１０に取付けることで、図１や図２のようにカウンター３の下部に収納部１が形成される。詳しくは、収納部１は、収納部材５の上部部材６が天井面１ｂを構成し、収納部材５の下部部材７の載置片８が底面１ｃを構成すると共に立上片９が奥面１ｄを構成することで、形成されている。天井面１ｂと底面１ｃとは略同じ勾配で前方程上方に傾斜していて、天井面１ｂと底面１ｃとの各前端間が構成する収納部１の開口１ａがカウンター３の前面３ｂの直下位置で収納部１は斜め前上方に向けて開口している。収納部１にシャンプーボトル等の容器Ｂを収納するには、容器Ｂを前方程上方に位置するように倒して天井面１ｂと底面１ｃとの間に挿入し、底面１ｃを構成する載置片８の上面に容器Ｂの側面Ｂ１を載置することで行われる。ここで、収納部１に容器Ｂを収納した際には、載置片８に容器Ｂが載置されることで載置片８に容器Ｂの重量がかかって下部部材７を下方に回動させる力がかかるものであり、つまりこの力によって下部部材７の引掛部１１を取付部材１０の被引掛部１３に強く引っ掛け係止できるのであり、下部部材７の取付部材１０への取付強度を向上できるようになっている。なお、収納部１の下面１ｅと洗い場床面４との間には、少なくともカウンター３に近接して位置した入浴者の足先が挿入できる高さ寸法を備えた収納部下空間２８を形成させている。この収納部下空間２８は、収納部１の下面１ｅを構成する載置片８の下面が斜め前上方に傾斜するものであるから、前方程大きく開口する空間とされている。
【００１９】
上記構成の浴室の収納構造にあっては、給水管等が収納配置されるカウンター３の内部３ｄではなく、デッドスペースとなりがちなカウンター下の空間を利用して収納部１を設けていることから、たとえばカウンター３の長手方向に亙るように、収納部１を広く採ることができたものである。広く採ることのできた収納部１にはシャンプーボトル等の容器Ｂを多数収納できるのであって、従来のようにカウンター３上に容器Ｂが多数置かれるという煩雑な外観を回避することができ、浴室内にすっきりとした外観を現出できたものである。また、収納部１は斜め前上方に開口したために洗い場Ａに位置した入浴者からその内部が見え易いようになっているが、収納部１の天井面１ｂを構成する収納部材５の上部部材６はカウンター３の下面３ｃを構成してカウンター３の内部３ｄを目隠しする目隠し板としても機能しているので、収納部１の開口からカウンター３の内部３ｄは見えないようになっており、この点でも浴室内の外観が向上されているのである。また、取付部材１０は浴室壁２に固着用のビス２７を前方から打入させて固着されたものであるが、少なくとも上記ビス２７は取付部材１０の前方に重ねて配置した収納部材５の立上片９の後方に位置されており（立上片９が請求項４でいう被覆部を構成している）、つまり、収納部材５の立上片９によって上記ビス２７は浴室に現出されないように目隠しがされていることから、この点でも浴室内の外観が向上されているのである。
【００２０】
また、収納部１はカウンター３手前で洗髪や身体を洗う入浴者に向くように斜め前上方に開口して形成されたことから、入浴者はこの収納部１に収納したシャンプーボトル等の容器Ｂを従来のようにカウンター３の上面３ａにまで手を伸ばすことなく良好な使い勝手のもと使用することができたものであり、浴室の使い勝手が向上されている。特に図１のように、収納部１に収納した容器Ｂの先端に設けられるポンプ操作部Ｂ２をカウンター３の前面３ｂより前方に突出させて位置させることで、洗髪作業等を行う入浴者にとって収納部１に収納した容器Ｂに収容された剤取出しを容易にでき、浴室の使い勝手を向上できる。また、収納部１の下面１ｅから洗い場床面４までにできる収納部下空間２８はその上下長さを前側程大きくすることができたことから、収納部１に収納したシャンプーボトル等の容器Ｂに手を伸ばし易いカウンター３のすぐ手前に位置した入浴者はその足先を上記収容部下空間２８に容易に挿入することができるのであり、つまり、入浴者は圧迫感無くカウンター３のすぐ手前に位置して洗髪等の作業を行うことができるから、この点でも浴室の使い勝手を向上できたものである。
【００２１】
また、収納部１は斜め前上方に開口していて浴水が入り易く、そして収納部１を形成する収納部材５の下部部材７は浴水を受けて水垢が付着し易いものであるが、この収納部材５の下部部材７は浴室壁２に固着した取付部材１０から簡単に取外しが可能にされたことから、清掃作業の行いにくいカウンター３の下部から収納部材５の下部部材７を取り外して開放空間で清掃するといった作業性良好な清掃作業によって、収納部１を効率よく清潔にすることができたものである。
【００２２】
ここで、収納部材５の下部部材７は取付部材１０から取外し可能になっているが、その取外し手順は上記のように収納部材５の下部部材７を上方に回動させて引掛部１１の被引掛部１３への引っ掛け係止状態を解除し、下部部材７を前方に移動させて取付部材１０の保持部１２による引掛部１１の保持状態を解除するといった、下部部材７への力の入れる方向の異なる２段階の作業を行う必要があり、つまり、下部部材７に入浴者の手足がぶつかるなどしても下部部材７が取付部材１０から不意に外れてしまうといった事態が回避されているのである。収納部１に容器Ｂを収納した状態では、下部部材７は容器Ｂが邪魔して上方に回動できなく、この点でも下部部材７の取付部材１０からの不意の外れが防止されているのである。
【００２３】
図５及び図６には本発明の実施の形態の他例を示す。本例は、先例と比べて収納部材５の下部部材７及び取付部材１０の形状を一部異ならせただけのものであるから、先例と共通する構成は同番号を付して説明は省き、異なる部分につき説明する。
【００２４】
本例の取付部材１０は、図６のように、縦片２４の上下端から前方にそれぞれ保持片が突出されており、つまり縦片２４の上下に亙る保持部１２が形成されている。また、取付部材１０の浴室壁２への固着は、一対の保持片２５，２６間である縦片２４の上下方向の中央部分に固着用のビス２７を打入することで行われている。
【００２５】
本例の収納部材５の下部部材７は、図６のように、立上片９の上部において上下に間隔をあけた位置（立上片９の上端部分と立上片９の上下方向の略中央部分）からそれぞれ引掛片２１，２２が後方に向けて突出され、上側の引掛片２１の突出先端（後端）には上方に屈曲した爪部２９が形成されている。
【００２６】
この収納部材５の下部部材７を取付部材１０に取付けるには、矢印ａのように、下部部材７を取付部材１０に対して前方から近接させて下部部材７の引掛部１１を取付部材１０の保持部１２に挿入する。具体的に本例では、下部部材７の一対の引掛片２１，２２を取付部材１０の一対の保持片２５，２６の間に挿入するのであり、このときには、一対の引掛片２１，２２を一対の保持片２５，２６にて上下から挟み込ませるといった挟持構造で、引掛部１１が保持部１２に保持されるようになっている。次に保持部１２に保持された引掛部１１を中心にして下部部材７を下方に回動していき、下部部材７の引掛部１１を取付部材１０の被引掛部１３に後方から引っ掛け係止させる。具体的に本例では、保持部１２に保持された引掛部１１を中心にして下部部材７を下方に回動することで、上側の引掛片２１の爪部２９が被引掛部１３の後方に廻り込むと共に被引掛部１３に後方から引っ掛け係止されるようになっている。
【００２７】
このように本例は、先の実施の形態の例と比べて、収納部材５の下部部材７の引掛部１１や取付部材１０の保持部１２の形状を変更したものであるが、引掛部１１の保持部１２への挟持形態を異ならせた以外は先の実施の形態の例と同様である。しかして、叙述した先の実施の形態の例と同様の作用効果を得ることができたものである。
【図面の簡単な説明】
【００２８】
【図１】本発明の実施の形態の例の側断面図である。
【図２】同上の斜視図である。
【図３】同上の下部部材と取付部材とを分解した分解斜視図である。
【図４】（ａ）から（ｅ）は同上の下部部材の取付部材への取付けを順に説明する説明図である。
【図５】本発明の実施の形態の他例の側断面図である。
【図６】同上の下部部材と取付部材とを分解した分解斜視図である。
【符号の説明】
【００２９】
１  収納部
２  浴室壁
３  カウンター
４  洗い場床面
５  収納部材
６  上部部材
７  下部部材
８  載置片
９  立上片
１０  取付部材
１１  引掛部
１２  保持部
１３  被引掛部
Ｂ  容器
【図１】
2007143780.tif 000003
【図２】
2007143780.tif 000004
【図３】
2007143780.tif 000005
【図４】
2007143780.tif 000006
【図５】
2007143780.tif 000007
【図６】
2007143780.tif 000008